(57)【要約】  【課題】  個々の使用者の顔にメガネが最適な位置にフィットするように、鼻パッドとフロント部との間の距離を容易に調整できると共に、メガネフレームの各部品に余分な力がかかったり、各部品を損傷したりすることなく、調整が行えるようにしたメガネフレームを提供する。  【解決手段】  左右のレンズ１０ａ、１０ｂを連結するブリッジ４の裏面に、環状の台座７を介して、鼻パッド６を取り付ける。環状の台座７を変形させると、鼻パッド６とブリッジ４との間の距離が変化していき、鼻パッド６とブリッジ４との間の距離を各人の鼻の形状に応じて最適な位置に調整できる。このように、環状の台座７を変形させ調整しているので、メガネフレームの他の部分に力がかかってメガネフレームが変形したり、メガネフレームが損傷したりすることなく容易に調整できる。【選択図】        図１
2005115124.tif 000002
【特許請求の範囲】
【請求項１】
左右のレンズを連結するブリッジの裏面に、環状の台座を介して鼻パッドを取り付け、前記環状の台座を変形させて、前記鼻パッドと前記ブリッジとの間の距離を調整するようにしたことを特徴とするメガネフレーム。
【請求項２】
前記環状の台座を樹脂で成形するようにしたことを特徴とする請求項１に記載のメガネフレーム。
【請求項３】
前記環状の台座を金属で成形するようにしたことを特徴とする請求項１に記載のメガネフレーム。
【請求項４】
前記ブリッジと前記環状の台座との間を接合又は接着して固定するようにしたことを特徴とする請求項２又は３に記載のメガネフレーム。
【請求項５】
前記ブリッジに孔を設け、前記環状の台座に突起を設け、前記環状の台座の突起を前記ブリッジの孔に嵌合して、前記ブリッジと前記環状の台座との間を固定するようにしたことを特徴とする請求項２又は３に記載のメガネフレーム。
【請求項６】
前記ブリッジと前記環状の台座との間をビスで固定するようにしたことを特徴とする請求項２又は３に記載のメガネフレーム。
【請求項７】
前記ブリッジに係合溝を設け、前記環状の台座の外形を前記ブリッジの係合溝に係合させて、前記ブリッジと前記環状の台座との間を固定するようにしたことを特徴とする請求項２又は３に記載のメガネフレーム。
【請求項８】
前記環状の台座と前記鼻パッドとの間を接合又は接着して固定するようにしたことを特徴とする請求項２又は３に記載のメガネフレーム。
【請求項９】
前記環状の台座に孔を設け、前記鼻パッドに突起を設け、前記鼻パッドの突起を前記環状の台座の孔に嵌合して、前記環状の台座と前記鼻パッドとの間を固定するようにしたことを特徴とする請求項２又は３に記載のメガネフレーム。
【請求項１０】
前記環状の台座と前記鼻パッドとの間をビスで固定するようにしたことを特徴とする請求項２又は３に記載のメガネフレーム。
【請求項１１】
前記鼻パッドに係合溝を設け、前記環状の台座の外形を前記鼻パッドの係合溝に係合させて、前記環状の台座と前記鼻パッドとの間を固定するようにしたことを特徴とする請求項２又は３に記載のメガネフレーム。
【請求項１２】
前記環状の台座に突起を形成し、当該突起に前記鼻パッドを取り付けるようにしたことを特徴とする請求項２又は３に記載のメガネフレーム。
【請求項１３】
前記環状の台座と前記鼻パッドを一体成形するようにしたことを特徴とする請求項２又は３に記載のメガネフレーム。
【請求項１４】
前記ブリッジと、前記環状の台座と、前記鼻パッドとを一体成形するようにしたことを特徴とする請求項２又は３に記載のメガネフレーム。
【請求項１５】
前記環状の台座にさらに他の環状の台座が連結されたことを特徴とする請求項１に記載のメガネフレーム。
【請求項１６】
前記環状の台座および前記他の環状の台座のうち、一方の環状の台座にバネ性を持たせるようにしたことを特徴とする請求項１５に記載のメガネフレーム。
【発明の詳細な説明】
【技術分野】
【０００１】
本発明は、メガネフレームに関するもので、特に、個々の使用者の顔にメガネが最適な位置にフィットし、しかも鼻パッドとフロント部との間の距離を容易に調整できるようにしたメガネフレームに関する。
【背景技術】
【０００２】
図２０は、従来の樹脂製のメガネフレームの一例を示すものである。図２０に示すように、従来のメガネフレーム１０１のフロント部１０２は、左右のリム１０３ａ及び１０３ｂと、リム１０３ａ及び１０３ｂを連結するブリッジ１０４と、ブリッジ１０４に設けられる鼻パッド１０６ａ、１０６ｂとから構成されている。リム１０３ａ及び１０３ｂに、レンズ１１０ａ及び１１０ｂが嵌め込まれる。リム１０３ａ、１０３ｂの両端１０５ａ、１０５ｂに、蝶番１０８ａ、１０８ｂを介して、テンプル１０９ａ、１０９ｂが折り畳み自在に取り付けられる。
【０００３】
このように、従来のメガネフレームは、２つの鼻パッド１０６ａ、１０６ｂがリム１０３ａ、１０３ｂに設けられており、この鼻パッド１０６ａ、１０６ｂにより、鼻筋を両側から支えて、フロント部１０２を支持している。しかしながら、人の鼻の高さや形状は異なっている。このため、鼻パッド１０６ａ、１０６ｂの高さがメガネ装着者の鼻の高さや形状と合致せずに、フロント部１０２が顔から落ちてしまったり、レンズ１１０ａ及び１１０ｂが眉毛に触れてしまったり、リム１０３ａ、１０３ｂの下側が頬に当たってしまったりするようなことがある。
【０００４】
また、たとえば特許文献１に示すように、鼻筋の形状に対応する鼻パッドを設け、この鼻パッドをパッド足を介してブリッジの裏面側に連結したものが提案されている。この特許文献１に示されているメガネフレームでは、パッド足により、鼻パッドとフロント部との間の距離を調整することができる。
【特許文献１】特開平１１−１６０６５８号公報
【発明の開示】
【発明が解決しようとする課題】
【０００５】
このように、メガネフレームを最適な位置で顔にフィットさせるには、鼻パッドとフロント部との間の距離を各人毎に最適に調整する必要がある。ところが、従来のメガネフレームでは、２つのパッド足が左右のリムにそれぞれ設けられており、パッド足では調整が難しい。特に、樹脂製のメガネフレームでは、鼻パッドがリムと一体成形されており、鼻パッドとフロント部との間の距離を調整するのは不可能に近い。金属製のメガネフレームでは、パッド足を各人の顔の形状に合わせて調整することで、鼻パッドとフロント部との間の距離を調整することができる。しかしながら、パッド足を各人の顔の形状に合わせて伸縮させて調整する作業は熟練を要し、調整した人の技術力がメガネの装着感に直接影響を与える。また、調整の際にパッド足が伸縮され、パッド足の付け根に力が加わり、破損したり鼻パッド又はパッド足がリムの外側や内側に外れたりしまうことがある。
【０００６】
また、特許文献１に示されたメガネフレームでは、パッド足により鼻パッドとフロント部との間の距離を調整できる。この特許文献１に示されているメガネフレームでは、鼻パッドをパッド足を介してブリッジの裏面に取り付けており、鼻パッドとフロント部との間の距離を調整する際には、パッド足を変形させる必要がある。ところが、特許文献１に示されるメガネフレームでは、パッド足を変形させるときに、パッド足の付け根部分に力がかかり、パッド足が外れたり、鼻パッドやパッド足が破損したりすることが考えられる。また、左右の足をそれぞれ調整することからバランスがとりずらく、パッド足を鼻パッドに設けられた連結孔の角度に合わせながら調整するのは困難である。
【０００７】
本発明は、上述の課題を鑑み、個々の使用者の顔にメガネが最適な位置にフィットするように、鼻パッドとフロント部との間の距離を調整できると共に、各部品を損傷したりすることなく調整が行えるようにしたメガネフレームを提供することを目的とするものである。
【課題を解決するための手段】
【０００８】
上述の課題を解決するために、本発明に係るメガネフレームは、左右のレンズを連結するブリッジの裏面に、環状の台座を介して鼻パッドを取り付け、環状の台座を変形させて、鼻パッドとブリッジとの間の距離を調整するようにしたことを特徴とする。
【０００９】
本発明では、好適には、環状の台座を樹脂または金属で成形するようにしたことを特徴とする。
【００１０】
本発明では、好適には、ブリッジと環状の台座との間を接合又は接着して固定するようにしたことを特徴とする。また、好適には、ブリッジに孔を設け、環状の台座に突起を設け、環状の台座の突起をブリッジの孔に嵌合して、ブリッジと環状の台座との間を固定するようにしたことを特徴とする。また、好適には、ブリッジと環状の台座との間をビスで固定するようにしたことを特徴とする。また、好適には、ブリッジに係合溝を設け、環状の台座の外形をブリッジの係合溝に係合させて、ブリッジと環状の台座との間を固定するようにしたことを特徴とする。
【００１１】
本発明では、好適には、環状の台座と鼻パッドとの間を接合又は接着して固定するようにしたことを特徴とする。好適には、環状の台座に孔を設け、鼻パッドに突起を設け、鼻パッドの突起を環状の台座の孔に嵌合して、環状の台座と鼻パッドとの間を固定するようにしたことを特徴とする。好適には、環状の台座と鼻パッドとの間をビスで固定するようにしたことを特徴とする。好適には、鼻パッドに係合溝を設け、環状の台座の外形を鼻パッドの係合溝に係合させて、環状の台座と鼻パッドとの間を固定するようにしたことを特徴とする。好適には、環状の台座に突起を形成し、当該突起に鼻パッドを取り付けるようにしたことを特徴とする。好適には、環状の台座と鼻パッドを一体成形するようにしたことを特徴とする。好適には、ブリッジと、環状の台座と、鼻パッドとを一体成形するようにしたことを特徴とする。
【００１２】
本発明では、好適には、環状の台座にさらに他の環状の台座が連結されたことを特徴とする。また、好適には、環状の台座および他の環状の台座のうち、一方の環状の台座にバネ性を持たせるようにしたことを特徴とする。
【発明の効果】
【００１３】
本発明によれば、左右のレンズを連結するブリッジの裏面に、環状の台座を介して鼻パッドを取り付け、環状の台座を変形させて、鼻パッドとブリッジとの間の距離を調整することで、メガネの使用者にフィットするように、鼻パッドとフロント部との間の距離を容易に調整することができる。環状の台座を変形させて鼻パッドを調整するので、調整時にメガネフレームの他の部分に力がかかってメガネフレームが変形したり、メガネフレームが損傷したりすることが防止できる。
【００１４】
また、本発明によれば、好適には、環状の台座を樹脂または金属で形成するようにしている。本発明では、上記の台座が環状であるため、樹脂の場合には金型が作り易く、金属の場合には、パイプ材から成形でき、樹脂でも金属でも、容易に成形できる。
【００１５】
そして、本発明によれば、好適には、ブリッジと環状の台座との間を接合又は接着して固定するようにしている。また、好適には、ブリッジに孔を設け、環状の台座に突起を設け、環状の台座の突起をブリッジの孔に嵌合して、ブリッジと環状の台座との間を固定するようにしている。また、好適には、ブリッジと環状の台座との間をビスで固定するようにしている。また、好適には、ブリッジに係合溝を設け、環状の台座の外形をブリッジの係合溝に係合させて、ブリッジと環状の台座との間を固定するようにしている。従って、ブリッジと環状の台座とを確実に固定することができる。
【００１６】
そして、本発明によれば、好適には、環状の台座と鼻パッドとの間を接合又は接着して固定するようにしている。また、好適には、環状の台座に孔を設け、鼻パッドに突起を設け、鼻パッドの突起を環状の台座の孔に嵌合して、環状の台座と鼻パッドとの間を固定するようにしている。また、好適には、環状の台座と鼻パッドとの間をビスで固定するようにしている。また、好適には、鼻パッドに係合溝を設け、環状の台座の外形を鼻パッドの係合溝に係合させて、環状の台座と鼻パッドとの間を固定するようにしている。また、好適には、環状の台座に突起を形成し、当該突起に鼻パッドを取り付けるようにしている。また、好適には、環状の台座と鼻パッドを一体成形するようにしている。また、好適には、ブリッジと、環状の台座と、鼻パッドとを一体成形するようにしている。従って、環状の台座と鼻パッドとを確実に固定することができる。
【００１７】
さらに、本発明では、好適には、環状の台座にさらに、他の、環状の台座を連結している。また、好適には、環状の台座および他の環状の台座のうち、一方の環状の台座にバネ性を持たせるようにしている。これにより、鼻パッドを確実に固定できるとともに、メガネフレームを装着したときの圧迫感が少なくなる。
【発明を実施するための最良の形態】
【００１８】
以下、本発明の実施の形態について図面を参照しながら説明する。図１は、本発明が適用されたメガネフレームの一例を示すものである。図１において、メガネフレーム１は、樹脂等（たとえば、アセテート樹脂、セルロイド）で成形される場合と、金属（たとえば、ステンレス、ニッケル合金、チタン合金）で成形される場合とがある。以下、メガネフレーム１全体が樹脂等で成形されるものは樹脂フレームと称し、金属で成形されるものはメタルフレームと称することにする。
【００１９】
メガネフレーム１のフロント部２は、左右のリム３ａ及び３ｂと、リム３ａ及び３ｂを連結するブリッジ４と、ブリッジ４に台座７を介して取り付けられる鼻パッド６とからなる。リム３ａ及び３ｂに、レンズ１０ａ及び１０ｂが嵌め込まれる。リム３ａ、３ｂの両端に、蝶番８ａ、８ｂを介して、テンプル９ａ、９ｂが折り畳み自在に取り付けられる。
【００２０】
鼻パッド６は、たとえば、人の鼻筋の形状に対応するように、中心から左右にＶ字形またはＵ字形に湾曲している。更に、左右下方向に湾曲させるようにしてもよい。鼻パッド６はメガネの使用者の鼻筋を確実に捕らえる事に加えて、直接当たる部分であるため、好適な鼻パッド６の材質としては、表面が柔らかく、湾曲の開き具合を調整できるもの。たとえばパッド本体はアセテート樹脂で成形し、鼻筋に直接当たる部分にシリコン系樹脂を貼ったものやパッド本体にシリコン系樹脂で覆ったものが用いられる。鼻パッド６は樹脂系で形成しても金属系で形成してもよく、あるいは、樹脂系と金属系を併用しても問題ない。
【００２１】
台座７は、一般的には、メガネフレーム１が樹脂フレームなら樹脂により成形され、メガネフレーム１がメタルフレームなら金属により成形される。もちろん、樹脂製のメガネフレーム１の台座７を金属で成形し、または金属製のメガネフレーム１の台座７を樹脂で成形することも可能である。
【００２２】
台座７として樹脂を用いた場合には、台座７の材質として、好ましくは、適度な熱を加えて変形でき、安定した形状が保てる形状記憶樹脂が用いられる。台座７として金属を用いた場合には、台座７の材質として、好ましくは、形状を安定させる形状記憶合金が用いられる。現在、弾性記憶樹脂、弾性記憶合金と呼ばれるバネ性と形状が安定する素材が開発されており、台座７として、このような部材を用いることができる。
【００２３】
なお、台座７の形状は、その平面形状が真円の環状とする必要はなく、各種に変形できる。台座７の形状については、後に説明する。また、ブリッジ４と、台座７と、鼻パッド６との取り付け方法としては種々の方法が考えられる。このブリッジ４と、台座７と、鼻パッド６との取り付け方法については、後に説明する。
【００２４】
このように、本発明が適用されたメガネフレーム１では、鼻パッド６は、環状の台座７を介して、ブリッジ４に取り付けられる。このため、各人の鼻の形状に合わせて、鼻パッド６とブリッジ４との距離を容易に調整することができる。
【００２５】
たとえば、メガネの使用者の鼻が低い場合には、図２（Ａ）に示すように、縦方向（メガネを装着したときの奥行き方向）の長さが長くなるように、台座７が変形される。台座７がこのように変形されると、鼻パッド６とブリッジ４との間の距離Ｌ１が長くなり、鼻の低い使用者に対しては、鼻パッド６とブリッジ４との距離が長くなるように調整される。
【００２６】
また、メガネの使用者の鼻が高い場合には、図２（Ｂ）に示すように、縦方向（メガネを装着したときの奥行き方向）の長さが短くなるように、台座７が変形される。台座７がこのように変形されると、鼻パッド６とブリッジ４とのとの間の距離Ｌ１が短くなり、鼻の高い使用者に対しては、鼻パッド６とブリッジ４との間の距離が短くなるように調整される。
【００２７】
台座７の変形は、たとえば、図３に示すように、台座７をペンチのような工具１２で上又は下から摘んで、力を加えることにより行える。図４（Ａ）において矢印ＡＲ１及びＡＲ２で示すように、横方向から圧縮力を加えれば、図２（Ａ）に示したように、縦方向の長さが長くなるように台座７を変形させることができる。また、図４（Ｂ）において矢印ＡＲ３及びＡＲ４で示すように、縦方向から圧縮力を加えれば、図２（Ｂ）に示したように、縦方向の長さが短くなるように台座７を変形させることができる。もちろん、台座７を両側から工具で引っ張ることで、変形させるようにしてもよいし、台座７の内側から工具１２で広げるなどしてもよい。台座７を変形させる作業は、ブリッジ４に台座７および鼻パッド６を取り付けたままの状態で行うようにしてもよいし、台座７をブリッジ４から外して行うようにしてもよい。
【００２８】
なお、台座７として、たとえば樹脂を用いた場合には、台座７に適度な熱を加えてから力を加えることで、台座７の形状を変形させることができる。台座７として、たとえば金属を用いた場合には、台座７に直接力を加えることで変形させることができる。また、台座７が金属の場合でも、金属の素材によっては、適度な熱を加えて、台座７に力を加えて変形させることも考えられる。
【００２９】
このように、本発明が適用されたメガネフレーム１では、環状の台座７を介して鼻パッド６が取り付けられる。このため、台座７を変形させることで、鼻パッド６とブリッジ４との距離を各メガネ使用者の鼻の形状に合わせて最適に調整することができる。台座７の変形は、図３に示したように、ペンチのような工具１２を使って簡単に行え、鼻パッド６の開き具合も適度な熱を加えることで簡単に行える。また、作業中に、メガネフレーム１の他の部分に余分な力を与えることがない。このため、鼻パッド６とブリッジ４の距離を調整する際に、メガネフレーム１の他の部分に損傷を与えたり、接合部を弱めてしまったりするようなことはない。また、環状の台座７は、樹脂の場合には金型が作り易く、金属の場合には、パイプ材から成形でき、樹脂でも金属でも、容易に成形できる。
【００３０】
なお、ブリッジ４に、台座７を介して、鼻パッド６を取り付ける際に、図５に示すように、鼻パッド６が下方に向くように角度を付けるようにしてもよい。鼻パッド６は鼻筋５０に当接してフロント部２を支えている。このため、図５に示すように、鼻パッド６が下方を向くように角度を付けると、鼻パッド６が鼻筋５０によりフィットするようになり、フロント部２がより確実に支持されるようになる。
【００３１】
前述したように、台座７の形状は、各種に変形できる。図６は、台座７の各種の変形例を示すものであるである。図６（Ａ）は、台座７の平面形状を楕円形にしたものである。台座７が円形の場合、台座７の半径が大きいと、鼻パッド６とブリッジ４との間の距離が離れすぎてしまう。鼻パッド６ブリッジ４との間の距離を考慮して、台座７の半径を小さくすると、鼻パッド６とブリッジ４との調整範囲が狭くなってしまう。このため、台座７は、図６（Ａ）に示すように、横長の楕円とするのが一般的である。
【００３２】
図６（Ｂ）は、台座７の変形部分の厚さを他の部分より薄くして、変形し易くしたものである。すなわち、この例では、図６（Ｂ）に示すように、台座７の水平方向に相対する部分１１ａ及び１１ｂの厚さが他の部分より薄くなっているので、縦方向に変形し易くなり、鼻パッド６とブリッジ４との距離の調整がし易くなる。
【００３３】
図６（Ｃ）は、台座７の垂直方向に相対する部分１１ｃ及び１１ｄの幅を広くしたものである。このようにすると、台座７が垂直方向に変形し易くなるとともに、台座７とブリッジ４とを結合する際に、及び台座７と鼻パッド６とを結合する際に、この幅広部分における孔明け等の加工がし易くなる。
【００３４】
図６（Ｄ）は、台座７の一部１１ｅに直線部分を設けたものである。図６（Ｅ）は、台座７の相対向する２つの部分１１ｆ、１１ｇに直線部分を設けたものである。このように、台座７に直線部分を設けると、台座７とブリッジ４との間や、台座７と鼻パッド６との間の結合がし易くなる。
【００３５】
さらに、図６（Ｆ）に示すように、台座７を瓢箪形としたり、図６（Ｇ）に示すように、菱形としたりしてもよい。台座７は、環状の形状から変形しうる形状なら、どのような形状に変形してもよい。
【００３６】
図７は、台座７の断面形状を示すものである。台座７の断面形状は、図７（Ａ）に示すように、丸形の断面であってもよいし、図７（Ｂ）に示すように、四角形の断面であってもよいし、図７（Ｃ）に示すように、菱形の断面であってもよい。台座７が樹脂の場合には金属より強度が劣るため、断面形状を四角形や菱形とすることで、強度を上げることができる。
【００３７】
さらに、図８に示すように、２つの台座７ａ、７ｂを繋ぐようにしてもよい。２つの台座７ａ、７ｂを繋ぐようにすると、台座７ａと台座７ｂをそれぞれ変形させて、鼻パッド６とブリッジ４との距離を調整することができる。さらに、２つの台座７ａ、７ｂを繋ぐようにした場合には、たとえば、ブリッジ４に近い方の台座７ａを鼻パッド６とブリッジ４との距離の調整用とし、鼻パッド６に近いほうの台座７ｂを、クッションとして機能させることができる。すなわち、ブリッジ４に近接する側の台座近い方の台座７ａは、鼻パッド６とブリッジ４との距離を調整した後には容易に変形しないように、変形しにくい硬質の部材を用い、鼻パッド６に近い方の台座７ｂは、鼻パッド６と鼻筋との間のクッションとするために、バネ性のある材質の部材を用いることができる。このようにすると、鼻パッド６の位置を調整できるとともに、メガネフレームを装着したときの圧迫観が少なくなる。
【００３８】
次に、ブリッジ４と台座７との間の取り付け方法、及び台座７と鼻パッド６との間の取り付け方法について説明する。
【００３９】
まず、ブリッジ４と台座７との取り付け方法としては、以下の方法が考えられる。
（１）ブリッジ４と台座７とを直接接合又は接着する（方法Ａ１）。
（２）台座７の外周の一部に突起を形成し、ブリッジ４に孔を形成し、台座７の突起とブリッジ４の孔とを嵌合して、ブリッジ４と台座７とを固定する（方法Ａ２（図９参照））。
（３）ブリッジ４と台座７とをビスにより固定する（方法Ａ３（図１０参照））。
（４）ブリッジ４に係合溝を形成しておき、ブリッジ４の係合溝に台座７の外周を係合させる（方法Ａ４（図１１参照））。
【００４０】
方法Ａ１は、ブリッジ４と台座７とを直接接合するものである。ブリッジ４及び台座７が樹脂製の場合には、ブリッジ４と台座７とがたとえば接着剤で接合される。ブリッジ４と台座７がたとえば金属製の場合には、ブリッジ４と台座７とがろう付けまたは溶接される。
【００４１】
方法Ａ２は、図９に示すように、台座７の外周の一部に突起１３を形成し、ブリッジ４に、突起１３と対応した形状の孔１４を形成し、台座７の突起１３をブリッジ４の孔１４に嵌合して、ブリッジ４と台座７とを固定するものである。孔１４は、貫通孔であってもよいし、閉塞されていてもよいが、デザイン上の理由から、孔１４はブリッジ４の表側まで貫通させないようにした方が好ましい。このように、台座７の突起１３をブリッジ４の孔１４に嵌合して、ブリッジ４と台座７とを固定する場合には、台座７とブリッジ４とを確実に固定することができるとともに、ブリッジ４上で台座７の取り付け位置が決め易くなるという利点がある。この方法は、台座７の突起１３をブリッジ４の孔１４に嵌合して、ブリッジ４と台座７とを固定するものであるから、厚みのある樹脂製のブリッジ４の方が固定し易い。もちろん、ブリッジ４が金属製の場合でも適用可能である。また、台座７は、樹脂製でも金属製でも適用可能である。なお、突起１３及び孔１４は、１つでも複数でもよい。また、突起１３の形状は、円形とする他、台座７が回転するのを防止するために、楕円形や四角形としてもよい。
【００４２】
方法Ａ３は、図１０に示すように、ビス１７により、台座７をブリッジ４に取り付けるものである。すなわち、図１０の例では、台座７の一部に、貫通孔１５が形成される。また、ブリッジ４にビス穴１６が形成される。ビス穴１６は、貫通孔であってもよいし、閉塞されていてもよいが、デザイン上の理由から、ビス穴１６は、ブリッジ４の表側まで貫通させないにようした方が好ましい。台座７の貫通孔１５と台座７のビス穴１６が連通する孔にビス１７が挿入され、ビス１７により、ブリッジ４と台座７とが固定される。図１０に示すように、台座７とブリッジ４とをビス１７で固定させる方法では、台座７とブリッジ４とをより確実に固定することができるとともに、ブリッジ４上で台座７の取り付け位置が決め易い。さらに、台座７とブリッジ４とを着脱することが容易である。このため、台座７を変形させて鼻パッド６とブリッジ４との距離の調整作業を何度もやり直すことが簡単に行える。この方法は、ブリッジ４が樹脂製の場合でも金属製の場合でも適用可能である。また、台座７が樹脂製の場合でも、金属製の場合でも適用可能である。
【００４３】
方法Ａ４は、図１１に示すように、台座７の外周をブリッジ４の係合溝１８に係合させてブリッジ４に台座７を固定するものである。すなわち、ブリッジ４に、台座７の外周に対応する形状の係合溝１８が形成される。鼻パッド６の外周がブリッジ４の係合溝１８に係合され、ブリッジ４と台座７とが固定される。このように、ブリッジ４に係合溝１８を設け、台座７の外周をブリッジ４の係合溝１８に係合させて、ブリッジ４と台座７とを固定する方法では、ブリッジ４と台座７とを簡単に固定することができる。この方法は、台座７の外周をブリッジ４の係合溝１８に嵌合して、ブリッジ４と台座７とを固定するものであるから、厚みのある樹脂製のブリッジ４の方が固定し易い。もちろん、ブリッジ４が金属製の場合でも適用可能である。また、台座７の外周をブリッジ４の係合溝１８に嵌合してから、ブリッジ４と台座７とを接着剤で固定すれば、より確実に固定できる。
【００４４】
次に、台座７と鼻パッド６との取り付け方法について説明する。台座７と鼻パッド６との取り付け方法については、以下の方法が考えられる。
（１）台座７と鼻パッド６とを接合又は接合する（方法Ｂ１）。
（２）鼻パッド６の外周の一部に突起を形成し、台座７に孔を形成し、鼻パッド６の突起と台座７の孔とを嵌合して、台座７と鼻パッド６とを固定する（方法Ｂ２（図１２参照））。
（３）台座７と鼻パッド６とをビスにより固定する（方法Ｂ３（図１３参照））。
（４）鼻パッド６に係合溝を形成しておき、鼻パッド６を台座７の外周の係合溝に係合させる（方法Ｂ４（図１４（Ａ）、（Ｂ）参照））。
（５）鼻パッド６に係合溝を形成しておき、鼻パッド６を台座７の外周の係合溝に係合させ、さらに、固定ビス２９により鼻パッド６を係合溝に固定する（方法Ｂ５（図１５（Ａ）、（Ｂ）参照））。
（６）台座７にＶ字状またはＵ字状の突起を形成しておき、このＶ字状またはＵ字状の突起に鼻パッド６を取り付ける（方法Ｂ６（図１６参照））。
（７）台座７と鼻パッド６とを一体成形する（方法Ｂ７（図１７参照））。
【００４５】
方法Ｂ１は、台座７と鼻パッド６とを、直接接合する方法である。鼻パッド６は、通常、樹脂により成形されている。台座７が樹脂製の場合には、樹脂用の接着剤で、台座７と鼻パッド６とが接着される。台座７が金属製の場合には、金属用の接着剤で、台座７と鼻パッド６とが接着される。
【００４６】
方法Ｂ２は、図１２に示すように、鼻パッド６に突起２１を設け、台座７に突起２１と対応した形状の孔２２を形成し、鼻パッド６の突起２１を台座７の孔２２に嵌合して、台座７と鼻パッド６とを固定するものである。なお、孔２２は貫通孔でもよいし、閉塞されていてもよい。この方法は、台座７が樹脂製の場合でも、金属製の場合でも適用可能である。なお、突起２１及び孔２２は１つでも複数でもよい。また、突起２１は円形の他、鼻パッド６が回転するのを防止するために、楕円形や四角形としてもよい。
【００４７】
方法Ｂ３は、図１３に示すように、ビス２３により、台座７に鼻パッド６に取り付けるものである。すなわち、図１３の例では、鼻パッド６の一部に、貫通孔２４が形成される。また、台座７にビス穴２５が形成される。鼻パッド６の貫通孔２４と、貫通孔２４及びビス穴２５とが連通する孔にビス２３が挿入され、ビス２３により、台座７と鼻パッド６とが固定される。この方法は、台座７が樹脂製の場合でも、金属製の場合でも適用可能である。
【００４８】
方法Ｂ４は、図１４（Ａ）、（Ｂ）に示すように、台座７の外周を鼻パッド６の係合溝２７に係合させ、リブ３２ａ、３２ｂにより台座７の外周を挟み込んで、台座７と鼻パッド６とを固定するものである。すなわち、図１４（Ａ）に示すように、鼻パッド６に、台座７の外周に対応する幅の係合溝２７が形成される。図１４（Ｂ）に示すように、台座７の外周が鼻パッド６の係合溝２７に係合され、鼻パッド６の外周がリブ３２ａ及び３２ｂに挟まれることにより、台座７と鼻パッド６とが固定される。このように、鼻パッド６に係合溝２７を設け、台座７の外側を鼻パッド６の係合溝２７に係合させて、台座７と鼻パッド６とを固定する方法では、台座７と鼻パッド６とを簡単に固定することができる。この方法は、台座７が樹脂製の場合でも、金属製の場合でも適用可能である。
【００４９】
また、方法Ｂ５は、図１５（Ａ）、（Ｂ）に示すように、鼻パッド６に係合溝２７を設け、台座７の外側を鼻パッド６の係合溝２７に係合させ、さらに、ビス２９により固定するようにしてもよい。すなわち、図１５（Ａ）に示すように、台座７に、貫通孔３１が設けられる。鼻パッド６のリブ３２ａ、３２ｂに、それぞれ孔３３ａ、３３ｂが設けられる。図１５（Ｂ）に示すように、台座７の外周が鼻パッド６の係合溝２７に係合される。そして、台座７の貫通孔３１と鼻パッド６の孔３３ａ、３３ｂとが連通して形成される孔にビス２９が挿入され、ビス２９により、鼻パッド６と台座７とが固定される。
【００５０】
方法Ｂ６は、図１６に示すように、例えば台座７にＶ字状の突起３５ａ、３５ｂを形成し、また、鼻パッド６に突起３５ａ、３５ｂが嵌め込まれる溝３８を設け、このＶ字状の突起３５ａ、３５ｂを溝３８に嵌め込み、鼻パッド６を取り付けるようにしたものである。このように、台座７にＶ字状の突起３５ａ、３５ｂを形成しておくと、鼻パッド６を台座７により確実に固定できる。また、鼻パッド６が汚れた場合には、台座７から鼻パッド６を外して、鼻パッド６を簡単に交換することができる。この方法は、台座７が樹脂製の場合でも、金属製の場合でも適用可能である。
【００５１】
方法Ｂ７は、図１７に示すように、台座７と鼻パッド６とを一体成形したものである。この方法は、台座７と鼻パッド６とを一体成形するので、樹脂製の場合に好適である。金属製の場合でも、鋳型成形することにより、実現可能である。この方法では、台座７と鼻パッド６とを一体成形すると、部品数が削減できる。
【００５２】
図１８は、リムレスタイプのメガネフレームに本発明を適用したものである。すなわち、上述までの説明では、メガネフレーム１では、リム３ａ及び３ｂが設けられ、このリム３ａ及び３ｂに、レンズ１０ａ及び１０ｂが嵌め込まれる。これに対して、近年、樹脂製のレンズの普及とともに、レンズをブリッジに直接ビスで止めるようなリムレスタイプのメガネフレームが登場している。図１８は、このようなリムレスタイプのメガネフレームの例である。
【００５３】
図１８に示すように、リムレスタイプのメガネフレーム５１では、左右のレンズ７０ａ、７０ｂとブリッジ５４とがたとえばビス６１ａ、６１ｂにより直接連結される。ブリッジ５４に、環状の台座５７を介して、鼻パッド５６が設けられる。また、レンズ７０ａ、７０ｂの両端に、たとえばビス６２ａ、６２ｂにより、ヨロイ６０ａ、６０ｂが直接に連結される。ヨロイ６０ａ、６０ｂに、蝶番５８ａ、５８ｂを介して、テンプル５９ａ、５９ｂが折り畳み自在に取り付けられる。鼻パッド５６は、たとえば、人の鼻筋に対応するＶ字形またはＵ字形の左右下方に湾曲した形状の合成樹脂から成形される。
【００５４】
リムレスタイプのメガネフレーム５１の場合にも、前述と同様に、方法Ａ１から方法Ａ４に示す方法により、ブリッジ５４と台座５７とを取り付けることができる。また、前述と同様に、方法Ｂ１から方法Ｂ７に示す方法により、台座５７と鼻パッド５６とを取り付けることができる。
【００５５】
さらに、リムレスタイプのメガネフレームの場合には、図１９に示すように、ブリッジ５４と、台座５７と、鼻パッド５６とを全て一体成形することができる（方法Ｃ１）。このように、ブリッジ５４と、台座５７と、鼻パッド５６とを一体成形すると、部品数が削減できる。
【００５６】
なお、本発明は、上述した実施形態に限定されるものではなく、本発明の要旨を逸脱しない範囲内で様々な変形や応用が可能である。
【図面の簡単な説明】
【００５７】
【図１】本発明が適用されたメガネフレームの一例の斜視図である。
【図２】本発明が適用されたメガネフレームにおける鼻パッドの調整の説明に用いる平面図である。
【図３】台座の変形作業の説明に用いる平面図である。
【図４】台座の変形作業の説明に用いる図である。
【図５】台座と鼻パッドとの取り付けの説明に用いる側面図である。
【図６】台座の変形例の説明に用いる平面図である。
【図７】台座の断面構造の説明に用いる断面図である。
【図８】台座の他の例の説明に用いる平面図である。
【図９】ブリッジと台座との取り付け方法の説明に用いる斜視図である。
【図１０】ブリッジと台座との取り付け方法の説明に用いる斜視図である。
【図１１】ブリッジと台座との取り付け方法の説明に用いる斜視図である。
【図１２】台座と鼻パッドとの取り付け方法の説明に用いる斜視図である。
【図１３】台座と鼻パッドとの取り付け方法の説明に用いる斜視図である。
【図１４】台座と鼻パッドの取り付け方法の説明に用いる斜視図である。
【図１５】台座と鼻パッドの取り付け方法の説明に用いる斜視図である。
【図１６】台座と鼻パッドの取り付け方法の説明に用いる斜視図である。
【図１７】台座と鼻パッドとを一体成形した場合の説明に用いる斜視図である。
【図１８】本発明が適用されたリムレスタイプのメガネフレームに適用された場合の一例を示す斜視図である。
【図１９】ブリッジと台座と鼻パッドとを一体成形した場合の説明に用いる斜視図である。
【図２０】従来のメガネフレームの一例の斜視図である。
【符号の説明】
【００５８】
１    メガネフレーム
２    フロント部
３ａ、３ｂ    リム
４    ブリッジenpawdenpawd
６    鼻パッド
７，７ａ，７ｂ    台座
８ａ、８ｂ    蝶番
９ａ、９ｂ    テンプル
１０ａ、１０ｂ    レンズ
１１ａ〜１１ｇ    台座７の一部
１３    突起
１４    孔
１５    貫通孔
１６    ビス穴
１７    ビス
１８    係合溝
２１    突起
２２    孔
２３    ビス
２４    貫通孔
２５    ビス穴
２７    係合溝
２９    ビス
３１    貫通孔
３２ａ，３２ｂ    リブ
３３ａ，３３ｂ    孔
３５ａ、３５ｂ    突起
３８    溝
５１    メガネフレーム
５４    ブリッジ
５６    鼻パッド
５７    台座
５８ａ，５８ｂ    蝶番
５９ａ，５９ａ    テンプル
６０ａ，６０ｂ    ヨロイ
６１ａ，６１ａ    ビス
６２ａ，６２ａ    ビス
７０ａ，７０ｂ    レンズ
【図１】
2005115124.tif 000003
【図２】
2005115124.tif 000004
【図３】
2005115124.tif 000005
【図４】
2005115124.tif 000006
【図５】
2005115124.tif 000007
【図６】
2005115124.tif 000008
【図７】
2005115124.tif 000009
【図８】
2005115124.tif 000010
【図９】
2005115124.tif 000011
【図１０】
2005115124.tif 000012
【図１１】
2005115124.tif 000013
【図１２】
2005115124.tif 000014
【図１３】
2005115124.tif 000015
【図１４】
2005115124.tif 000016
【図１５】
2005115124.tif 000017
【図１６】
2005115124.tif 000018
【図１７】
2005115124.tif 000019
【図１８】
2005115124.tif 000020
【図１９】
2005115124.tif 000021
【図２０】
2005115124.tif 000022